(57)【要約】【課題】カバーの急な開きを防止して容易に開くことができるカバー開閉構造及びそのカバー開閉構造を備えたカバー装置並びにそのカバー装置を備えた電子機器を提供すること。【解決手段】ハウジング１０１に対して回動することにより当該ハウジングの開口部１７２を開閉するカバー１７１の開閉構造１０の回動軸１１に付勢手段１２を配置し、前記カバーの開閉に伴う前記付勢手段の変形による撓み力により前記カバーの開速度を調整する。これにより、付勢手段の撓み力を変更するのみでカバーの開速度を簡易に調整することができるので、カバーの急な開きを防止して容易に開くことができる。【選択図】図７
2008078569.tif 000002
【特許請求の範囲】
【請求項１】
ハウジングに対して回動することにより当該ハウジングの開口部を開閉するカバーの開閉構造であって、
前記カバーの回動軸部と、当該回動軸部を支持する回動軸受部と、当該回動軸を付勢する付勢手段とを備え、前記カバーの開閉に伴う前記付勢手段の変形による撓み力により前記カバーの開速度を調整することを特徴とするカバー開閉構造。
【請求項２】
前記カバーの回動軸部は、単体の部品で成り、前記ハウジングに配置された前記付勢手段により当該回動軸部の一端が付勢されて前記ハウジングに配置されていることを特徴とする請求項１に記載のカバー開閉構造。
【請求項３】
前記カバーの回動軸部の他端に凸部を設け、前記回動軸受部に前記凸部に嵌合する凹部を設け、前記カバーの閉状態から開状態への移行に伴って前記凹部が前記凸部を前記ハウジング側に押し込むことを特徴とする請求項２に記載のカバー開閉構造。
【請求項４】
前記カバーが閉状態時は前記凸部と前記凹部の間には前記付勢手段による付勢力が掛からないように構成されていることを特徴とする請求項３に記載のカバー開閉構造。
【請求項５】
前記カバーの回動軸部に回転防止部を設けたことを特徴とする請求項１〜４の何れか一項に記載のカバー開閉構造。
【請求項６】
前記回転防止部は、前記カバーの回動軸部の周面の２箇所に設けられており、一方の前記回転防止部は前記ハウジングに設けられた溝部に当接して回転防止し、他方の前記回転防止部は前記ハウジングの内面に当接して回転防止することを特徴とする請求項５に記載のカバー開閉構造。
【請求項７】
前記付勢手段は、コイルバネであることを特徴とする請求項１〜６の何れか一項に記載のカバー開閉構造。
【請求項８】
請求項１〜７の何れか一項に記載のカバー開閉構造を備えたことを特徴とするカバー装置。
【請求項９】
請求項８に記載のカバー装置を備えたことを特徴とする電子機器。
【発明の詳細な説明】
【技術分野】
【０００１】
本発明は、ハウジングに対して回動することにより当該ハウジングの開口部を開閉するカバーの開閉構造及びそのカバー開閉構造を備えたカバー装置並びにそのカバー装置を備えた電子機器に関する。
【背景技術】
【０００２】
装置本体の開口部を開閉するカバーの開閉構造として、枢軸体とカム体と弾性体がユニット化されたものがある。枢軸体は、一端に偏心した山形突起が突設され、他端にカバーの回転軸部に挿入固定される係止ピンが形成されている。カム体は、山部と谷部とからなる稜線が形成されている。そして、枢軸体は係止ピンがユニット本体から突出するようにユニット本体に収納され、カム体は稜線が枢軸体の山形突起と当接するようにユニット本体に収納され、弾性体はカム体を枢軸体に押圧するようにユニット本体に収納されている。
【０００３】
このような構成において、枢軸体の係止ピンをカバーの回転軸部に挿入係止し、ユニット本体を装置本体に形成したカバー係止穴に固定する。そして、カバーを回動させると、枢軸体とユニット本体とが相対回転し、枢軸体の山形突起がカム体の谷部から山部に向かって稜線を移動する。このとき、カム体が弾性体により付勢されているので、山部の頂部に達した山形突起は、不安定な状態から次の谷部に入り込むように移動して安定する。つまり、カバーに加えられる開閉力により、カバーが所定角を超えるように操作されると、カバーはカム作用によって強制的に回動して閉状態又は開状態に移行する（特許文献１参照）。
【０００４】
【特許文献１】特開２００２−１３４９４２号公報
【発明の開示】
【発明が解決しようとする課題】
【０００５】
上述したカバー開閉構造では、弾性体の付勢力によりカバーを開閉するので、弾性体の付勢力を所定値以上とする必要がある。このため、特にカバーを開くときに勢いが付いて部品破損を引き起こすおそれがある。また、カバーを開くときはユーザがカバーを手で持って所定角を超えて回動させる必要がある。従って、ユーザが所定角を超えて回動させないうちにカバーから手を離したときはカバーは自然に閉じてしまうため、カバーを開く手間が掛かる場合がある。
【０００６】
本発明は、上記のような課題に鑑みなされたものであり、その目的は、カバーの急な開きを防止して容易に開くことができるカバー開閉構造及びそのカバー開閉構造を備えたカバー装置並びにそのカバー装置を備えた電子機器を提供することにある。
【課題を解決するための手段】
【０００７】
上記目的達成のため、本発明のカバーの開閉構造では、ハウジングに対して回動することにより当該ハウジングの開口部を開閉するカバーの開閉構造であって、前記カバーの回動軸部と、当該回動軸部を支持する回動軸受部と、当該回動軸を付勢する付勢手段とを備え、前記カバーの開閉に伴う前記付勢手段の変形による撓み力により前記カバーの開速度を調整することを特徴としている。これにより、付勢手段の撓み力を変更するのみでカバーの開速度を簡易に調整することができるので、カバーの急な開きを防止して容易に開くことができる。
【０００８】
また、前記カバーの回動軸部は、単体の部品で成り、前記ハウジングに配置された前記付勢手段により当該回動軸部の一端が付勢されて前記ハウジングに配置されていることを特徴としている。これにより、カバーの開時に過負荷が掛かったときに、単体の回動軸部が付勢手段及びカバーから外れるように構成することができるので、カバーや回動軸部等の部品破損を防止することができる。また、前記カバーの回動軸部の他端に凸部を設け、前記回動軸受部に前記凸部に嵌合する凹部を設け、前記カバーの閉状態から開状態への移行に伴って前記凹部が前記凸部を前記ハウジング側に押し込むことを特徴としている。これにより、カバーが開くときにカバーに付勢手段の付勢力を付与することができる。
【０００９】
また、前記カバーが閉状態時は前記凸部と前記凹部の間には前記付勢手段による付勢力が掛からないように構成されていることを特徴としている。これにより、カバーが閉状態のときは付勢手段の付勢力がカバーに掛からないので、クリープ等によるカバーの変形を防止することができる。また、前記カバーの回動軸部に回転防止部を設けたことを特徴としている。これにより、凹部は凸部をスムーズに押し込むことができる。また、前記回転防止部は、前記カバーの回動軸部の周面の２箇所に設けられており、一方の前記回転防止部は前記ハウジングに設けられた溝部に当接して回転防止し、他方の前記回転防止部は前記ハウジングの内面に当接して回転防止することを特徴としている。これにより、一方の回転防止部がハウジングに設けられた溝部から脱落しても、他方の回転防止部がハウジングの内面に当接しているので、カバーの回動軸部の回転を防止することができる。前記付勢手段は、コイルバネであることを特徴としている。これにより、カバー開閉構造を簡易な構成とすることができる。
【００１０】
上記目的達成のため、本発明のカバー装置では、上記各カバー開閉構造を備えたことを特徴としている。これにより、上記各作用効果を奏するカバー装置を提供することが可能である。上記目的達成のため、本発明の電子機器は、上記カバー装置を備えたことを特徴としている。これにより、上記各作用効果を奏する電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るカバー開閉構造を備えた電子機器である記録装置の外観構成の全体を示す斜視図である。この記録装置はプリンタ、コピー及びスキャナの機能を有するインクジェット式複合機１００である。このインクジェット式複合機１００は、全体が略直方体状のハウジング１０１で覆われている。そして、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面にはスキャナ１６０が配設され、前面側の排紙部１５０の両側には本発明の特徴的な部分を含むインクカートリッジ収納部１７０が配設されている。
【００１３】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１４】
メモリカードスロット部１２０は、図示矢印ａ方向に開閉自在なメモリカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１５】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１６】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１７】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００１８】
インクカートリッジ収納部１７０は、図示矢印ｃ方向に開閉自在なカートリッジカバー１７１でカートリッジ収納口（開口部）１７２が覆われている。このカートリッジカバー１７１が、本発明の特徴的な部分であるカバー開閉構造１０を備えている。このインクカートリッジ収納部１７０内には、フルカラー印刷が可能なように、例えばイエロー、マゼンタ、シアン、ライトマゼンタ、ライトシアン、ブラックの計６色の図示しないインクカートリッジが収納されている。ユーザは、インクカートリッジの交換の際はカートリッジカバー１７１を手前に開くのみで良く、スキャナ１６０を持ち上げてインクジェット式複合機１００の内部を露出させる必要が無いので、カートリッジ交換作業を簡易に行うことができる。
【００１９】
図２〜図４は、上記カバー開閉構造１０を示す斜視図であり、図２は、ハウジング１０１におけるカートリッジカバー１７１の取付部を外側から見た斜視図、図３は、ハウジング１０１におけるカートリッジカバー１７１の取付部を内側から見た斜視図、図４は、カートリッジカバー１７１の下端部を示している。このカバー開閉構造１０は、図２及び図３に示すカバー回動軸部１１及び図３に示すコイルバネ（付勢手段）１２と図４に示すカバー回動軸受部１３を備えている。カバー回動軸部１１は、図２に示すように、フランジ付き円筒状の本体部１１ａの一端面側に角柱状のカバー取付軸部（凸部）１１ｂが軸方向に突設され、図３に示すように、本体部１１ａの他端面側に本体部１１ａの径よりも小径な円筒状のバネ取付軸部１１ｃが軸方向に突設されている。更に、図２に示すように、本体部１１ａの周面には回転防止用キー部１１ｄが径方向に突設され、図３に示すように、回転防止用キー部１１ｄから略１８０°隔てた本体部１１ａの周面には回転防止用ボス部１１ｅが径方向に突設されている。
【００２０】
このような構成において、カバー回動軸部１１及びコイルバネ１２をカバー取付部１０１ａに組み込む際は、先ず、図３に示すように、コイルバネ１２の一端側をカバー回動軸部１１のバネ取付軸部１１ｃに挿入し、コイルバネ１２の他端側をカバー取付部１０１ａの内側に形成されているバネ押え部１０１ｂに嵌め込む。そして、カバー回動軸部１１をバネ押え部１０１ｂ側に押圧してコイルバネ１２を圧縮し、図２及び図３に示すように、カバー回動軸部１１の本体部１１ａ及び回転防止用キー部１１ｄを、カバー取付部１０１ａに穿孔された回動軸穴部１０１ｃ及びキー溝部１０１ｄに挿入する。これにより、カバー回動軸部１１のカバー取付軸部１１ｂはカバー取付部１０１ａの外側に突出し、カバー回動軸部１１の本体部１１ａのフランジ部がカバー取付部内面１０１ｅに当接する。以上により、カバー取付部１０１ａへのカバー回動軸部１１及びコイルバネ１２の組込みが完了する。
【００２１】
カバー回動軸受部１３は、図４に示すように、カートリッジカバー１７１の下端片側に一体成形されており、円筒状の本体部１３ａの内側端面には角柱状のカバー取付軸穴部（凹部）１３ｂが穿設されている。そして、カバー取付軸穴部１３ｂを形成する対向する一の穴壁部（凹部）１３ｃは頂部が平坦面に形成されているが、対向する他の穴壁部（凹部）１３ｄは頂部がカバー取付軸穴部１３ｂの底部から一の穴壁部１３ｃの頂部へ繋がる傾斜面に形成されている。このような構成のカバー回動軸受部１３をカバー回動軸部１１に嵌め込むことにより、カートリッジカバー１７１の回転に伴って、カバー取付軸部１１ｂの頂部は、カバー取付軸穴部１３ｂの平坦な底部と穴壁部１３ｄの傾斜した頂部と穴壁部１３ｃの平坦な頂部との間を摺動する。以上のような構成において、カートリッジカバー１７１の開閉時のカバー開閉構造１０の動作について更に図を参照して説明する。
【００２２】
図５は、カートリッジカバー１７１の閉状態を示す斜視図、図６及び図７は、図５のときのカバー開閉構造１０の状態を示す透視斜視図及び断面図、図８は、カートリッジカバー１７１の開状態を示す斜視図、図９及び図１０は、図８のときのカバー開閉構造１０の状態を示す透視斜視図及び断面図である。カートリッジカバー１７１が完全に閉状態のときは、図５に示すように、カートリッジカバー１７１はカートリッジ収納口１７２の縁部に設けられている図示しない係止フックに係止されてカートリッジ収納口１７２を塞いでいる。そして、図６及び図７に示すように、カバー回動軸受部１３のカバー取付軸穴部１３ｂ内にカバー回動軸部１１のカバー取付軸部１１ｂが完全に嵌り込んでおり、これによりカートリッジカバー１７１は閉状態が維持される。このとき、図７に示すように、コイルバネ１２はカバー回動軸部１１をカバー回動軸受部１３に向かって付勢しているが、本体部１１ａのフランジ部がカバー取付部内面１０１ｅに当接して上記付勢力を受けている。従って、カバー取付軸穴部１３ｂには上記付勢力は掛からず、カバー１７１のクリープ等による変形を防止することができる。
【００２３】
そして、カートリッジカバー１７１を開いていくと、カバー取付軸穴部１３ｂ内に嵌り込んでいたカバー取付軸部１１ｂの頂部を、穴壁部１３ｄの傾斜した頂部が押圧していくことになる。このとき、カバー回動軸部１１は、回転防止用キー部１１ｄがキー溝部１０１ｄに当接していると共に、回転防止用ボス部１１ｅがカバー取付部内面１０１ｅに当接しているので、回転はせずにカバー取付部１０１ａの内側に向かって軸方向に移動することになる。このとき、仮に回転防止用キー部１１ｄがキー溝部１０１ｄから脱落しても、回転防止用ボス部１１ｅがカバー取付部内面１０１ｅに当接しているので、カバー回動軸部１１の回転を防止することができる。
【００２４】
このカバー回動軸部１１の移動に伴ってコイルバネ１２は圧縮され、その復元力がカバー回動軸部１１を介してカバー回動軸受部１３に伝達されるので、カバー取付軸部１１ｂの頂部と穴壁部１３ｄの傾斜した頂部との間には摩擦力が働くことになる。従って、コイルバネ１２のバネ定数を変更することにより、カートリッジカバー１７１の開速度を調整することができる。例えば、コイルバネ１２の復元力によって発生するカバー取付軸部１１ｂの頂部と穴壁１３ｄの傾斜した頂部との間の摩擦力が、カートリッジカバー１７１の自重よりも大きくなるようにコイルバネ１２のバネ定数を設定することにより、ユーザがカートリッジカバー１７１を係止フックから外した後は、カートリッジカバー１７１を自動的に開かせることができる。
【００２５】
カートリッジカバー１７１が完全に開状態のときは、図８に示すように、カートリッジカバー１７１は手前に略水平に倒れてカートリッジ収納口１７２を開いている。そして、図９及び図１０に示すように、カバー回動軸受部１３の穴壁部１３ｃの頂部にカバー回動軸部１１のカバー取付軸部１１ｂの頂部が当接しており、これによりカートリッジカバー１７１は開状態が維持される。この状態で、カートリッジカバー１７１の上方からカートリッジカバー１７１に外力が掛かった場合、カートリッジカバー１７１は下方に更に回転してしまうので、カバー取付部１０１ａやカートリッジカバー１７１の下端が破損するおそれがある。しかし、本実施形態では、カバー回動軸受部１３のカバー取付軸穴部１３ｂ内にはカバー回動軸部１１のカバー取付軸部１１ｂの先端部のみが入り込んでおり、カバー回動軸部１１はカバー取付部１０１ａの内側に向かって軸方向に更に移動可能であるので、カートリッジカバー１７１はカバー取付部１０１ａから破損せずに容易に外れることになる。従って、カバー取付部１０１ａやカートリッジカバー１７１の下端の破損を防止することができる。
【００２６】
以上のように、本実施形態のカバー開閉構造１０によれば、カートリッジカバー１７１の開閉に伴うコイルバネ１２の変形による撓み力によりカートリッジカバー１７１の開速度を調整するので、コイルバネ１２の撓み力を変更するのみでカートリッジカバー１７１の開速度を簡易に調整することができ、カートリッジカバー１７１の急な開きを防止して容易に開くことができる。尚、上述した実施形態では、カバー開閉構造１０をカートリッジカバー１７１の下端の一方の側にのみ取り付けた構成としたが、カートリッジカバー１７１の下端の両側に取り付ける構成とすれば更にカートリッジカバー１７１の開速度を微調整することが可能となる。また、コイルバネ１２に限定されるものではなく、付勢可能であれば板バネやゴム等であっても良い。また、カートリッジカバー１７１に限られるものでは無く、メモリカバー１２１やスタッカ１５２等の開閉可能なカバーに適用可能である。
【産業上の利用可能性】
【００２７】
カバー開閉構造を有するカバー装置を備えた電子機器であれば、例えばファクシミリ装置、コピー装置、スキャナ等の記録装置を含む一般的な電子機器であっても適用可能である。
【図面の簡単な説明】
【００２８】
【図１】本発明の一実施の形態に係るカバー開閉構造を備えた電子機器である記録装置の外観構成の全体を示す斜視図である。
【図２】図１のカバー開閉構造を示す第１の斜視図である。
【図３】図１のカバー開閉構造を示す第２の斜視図である。
【図４】図１のカバー開閉構造を示す第３の斜視図である。
【図５】図１のカートリッジカバーの閉状態を示す斜視図である。
【図６】図５のときのカバー開閉構造の状態を示す透視斜視図である。
【図７】図５のときのカバー開閉構造の状態を示す断面図である。
【図８】図１のカートリッジカバーの開状態を示す斜視図である。
【図９】図８のときのカバー開閉構造の状態を示す透視斜視図である。
【図１０】図８のときのカバー開閉構造の状態を示す断面図である。
【符号の説明】
【００２９】
１０  カバー開閉構造、１１  カバー回動軸部、１１ａ  本体部、１１ｂ  カバー取付軸部、１１ｃ  バネ取付軸部、１１ｄ  回転防止用キー部、１１ｅ  回転防止用ボス部、１２  コイルバネ、１３  カバー回動軸受部、１３ａ  本体部、１３ｂ  カバー取付軸穴部、１３ｃ  穴壁部、１３ｄ  穴壁部、１００  インクジェット式複合機、１０１  ハウジング、１１０  操作部、１２０  メモリカードスロット部、１３０  ディスクスロット部、１４０  給紙部、１５０  排紙部、１６０  スキャナ、１７０  インクカートリッジ収納部、１７１  カートリッジカバー、１７２  カートリッジ収納口
【図１】
2008078569.tif 000003
【図２】
2008078569.tif 000004
【図３】
2008078569.tif 000005
【図４】
2008078569.tif 000006
【図５】
2008078569.tif 000007
【図６】
2008078569.tif 000008
【図７】
2008078569.tif 000009
【図８】
2008078569.tif 000010
【図９】
2008078569.tif 000011
【図１０】
2008078569.tif 000012